(57)【要約】【課題】ファスニングテープに触れた際の刺激や違和感を低減し得る使い捨ておむつを提供する。【解決手段】使い捨ておむつ10に備えられるファスニングテープ100は、基材シート105と、複数の係合フック111が設けられ、基材シート105に固定されたフックシート110とを有する。フックシート110の少なくとも製品幅方向DW外側においてフックシート110に隣接する嵩上げ部130を備える。フックシート110及び嵩上げ部130は、基材シート105の肌当接側の平面に設けられ、嵩上げ部130は、フックシート110と同一平面となるような厚みを有する。【選択図】図３
2013158370.tif 000002
【特許請求の範囲】
【請求項１】
前胴回り部、後胴回り部及び股下部から構成され、液保持性の吸収体を含む縦長の吸収性本体と、
製品幅方向における前記吸収性本体の側縁部の少なくとも一部に設けられるサイドフラップと、
前記サイドフラップに取り付けられ、前記前胴回り部または前記後胴回り部の一方から前記吸収性本体の製品幅方向外側に延出し、前記前胴回り部または前記後胴回り部の他方に止着されるように構成されたファスニングテープと
を備える使い捨ておむつであって、
前記ファスニングテープは、基材シートと、複数の係合フックが設けられ、前記基材シートに固定されたフックシートとを有し、
前記フックシートの少なくとも製品幅方向外側において前記フックシートに隣接する嵩上げ部を備え、
前記フックシート及び前記嵩上げ部は、前記基材シートの肌当接側の平面に設けられ、
前記嵩上げ部は、前記フックシートと同一平面となるような厚みを有する使い捨ておむつ。
【請求項２】
前記嵩上げ部は、前記フックシートの製品幅方向外側及び製品幅方向内側にそれぞれ備えられる請求項１に記載の使い捨ておむつ。
【請求項３】
前記嵩上げ部は、前記フックシートと略同一の厚みを有する請求項１または２に記載の使い捨ておむつ。
【請求項４】
前記同一平面となるような厚みを有するとは、前記嵩上げ部が存在する領域と、前記フックシートが存在する領域との段差が、-0.28〜0.46mm以下であることである請求項１乃至３の何れか一項に記載の使い捨ておむつ。
【請求項５】
前記嵩上げ部の製品長手方向における幅は、前記フックシートの幅と略同一または前記フックシートよりも広い請求項１乃至３の何れか一項に記載の使い捨ておむつ。
【請求項６】
前記嵩上げ部から前記フックシート側に延出し、前記フックシートの製品幅方向における端部を覆うフックシートカバー部をさらに備え、
前記フックシートカバー部の厚みは、前記嵩上げ部の厚みよりも薄い請求項１乃至５の何れか一項に記載の使い捨ておむつ。
【請求項７】
前記フックシートカバー部で覆われる前記フックシートの領域には、前記係合フックが設けられてない請求項６に記載の使い捨ておむつ。
【請求項８】
前記フックシートが設けられている領域における前記ファスニングテープの製品幅方向におけるKES曲げ剛性値は、1.64gf・cm2/cm以下である請求項１乃至７の何れか一項に記載の使い捨ておむつ。
【発明の詳細な説明】
【技術分野】
【０００１】
本発明は、前胴回り部または後胴回り部の一方にファスニングテープを備える使い捨ておむつに関する。
【背景技術】
【０００２】
従来、乳幼児などに主に用いられる使い捨ておむつとして、後胴回り部のサイドフラップに止着用のファスニングテープを設けた、いわゆるオープンタイプの使い捨ておむつが広く提供されている。上述したようなファスニングテープを備えたオープンタイプの使い捨ておむつは、着脱の容易性などから、特に、新生児及び乳幼児に広く用いられている。
【０００３】
このようなオープンタイプの使い捨ておむつにおいて、ファスニングテープの肌当接面側の基端部を、ファスニングテープよりも柔軟なサイドフラップ（不織布）で覆った構造が知られている（例えば、特許文献１）。このような使い捨ておむつによれば、ファスニングテープが乳幼児などの肌を刺激することが抑制されるため、乳幼児は不快感や痛みを感じ難くなる。
【先行技術文献】
【特許文献】
【０００４】
【特許文献１】特開２００３−７０８４０号公報（第１図）
【発明の概要】
【発明が解決しようとする課題】
【０００５】
上述した従来の使い捨ておむつによれば、ファスニングテープの肌当接面側の基端部が柔軟な不織布で覆われるため、ファスニングテープが乳幼児などの肌を刺激することが抑制されるが、使い捨ておむつを着脱する際に、ファスニングテープに触れることによる刺激や違和感については、依然として改善の余地があった。
【０００６】
具体的には、ファスニングテープは、使い捨ておむつの着脱時に必ず触れられるものであり、しかもファスニングテープを広げる際、ターゲットテープに止めたり、ターゲットテープから剥がしたりする際、及び使用後の使い捨ておむつを丸める際など、多くの回数（左右一対のファスニングテープで合計８回以上）触れられる。
【０００７】
しかしながら、ファスニングテープは、使い捨ておむつの中で唯一突起があり、最も剛性の高い部材であるため、ファスニングテープに触れることによる刺激や違和感を感じ易い。特に、出産後において母性ホルモンの分泌量が高まっている母親は、硬いものや尖ったものに対して強い違和感や嫌悪感を感じ易いことが知られている。
【０００８】
また、最近の使い捨ておむつでは、薄型の吸収体の採用やトップシートの風合いの改善などによって、ファスニングテープの硬さが、一層目立つようになっている。
【０００９】
そこで、本発明は、このような状況に鑑みてなされたものであり、ファスニングテープに触れた際の刺激や違和感を低減し得る使い捨ておむつの提供を目的とする。
【課題を解決するための手段】
【００１０】
本発明の特徴は、前胴回り部（前胴回り部20）、後胴回り部（後胴回り部40）及び股下部（股下部30）から構成され、液保持性の吸収体（吸収体35）を含む縦長の吸収性本体（吸収性本体15）と、前記吸収性本体の製品幅方向（製品幅方向DW）における側縁部の少なくとも一部に設けられるサイドフラップ（サイドフラップ50）と、前記サイドフラップに取り付けられ、前記前胴回り部または前記後胴回り部の一方から前記吸収性本体の幅方向外側に延出し、前記前胴回り部または前記後胴回り部の他方に止着されるように構成されたファスニングテープ（ファスニングテープ100）とを備える使い捨ておむつ（使い捨ておむつ10）であって、前記ファスニングテープは、基材シート（基材シート105）と、複数の係合フック（係合フック111）が設けられ、前記基材シートに固定されたフックシート（フックシート110）とを有し、前記フックシートの少なくとも製品幅方向外側において前記フックシートに隣接する嵩上げ部（嵩上げ部130）を備え、前記フックシート及び前記嵩上げ部は、前記基材シートの肌当接側の平面に設けられ、前記嵩上げ部は、前記フックシートと同一平面となるような厚みを有することを要旨とする。
【発明の効果】
【００１１】
本発明の特徴によれば、ファスニングテープに触れた際の刺激や違和感を低減し得る使い捨ておむつを提供することができる。
【図面の簡単な説明】
【００１２】
【図１】本発明の実施形態に係る使い捨ておむつ10の平面図である。
【図２】本発明の実施形態に係る使い捨ておむつ10のファスニングテープ100部分（サイドフラップ50側）の拡大図である。
【図３】図２のF3-F3線に沿ったファスニングテープ100の断面図である。
【図４】図３に示したファスニングテープ100の断面形状の模式図である。
【図５】本発明の変更例に係るファスニングテープ100Aの拡大図及びファスニングテープ100Aの断面形状の模式図である。
【図６】本発明の変更例に係るファスニングテープ100Bの拡大図及びファスニングテープ100Bの断面形状の模式図である。
【図７】本発明のその他の変更例に係るファスニングテープを示す図である。
【発明を実施するための形態】
【００１３】
次に、本発明に係る使い捨ておむつの実施形態について、図面を参照しながら説明する。なお、以下の図面の記載において、同一または類似の部分には、同一または類似の符号を付している。ただし、図面は模式的なものであり、各寸法の比率などは現実のものとは異なることに留意すべきである。
【００１４】
したがって、具体的な寸法などは以下の説明を参酌して判断すべきである。また、図面相互間においても互いの寸法の関係や比率が異なる部分が含まれ得る。
【００１５】
（１）使い捨ておむつの概略形状
図１は、本実施形態に係る使い捨ておむつ10の平面図である。図１に示すように、使い捨ておむつ10は、前胴回り部20、股下部30及び後胴回り部40を有するオープンタイプである。使い捨ておむつ10は、特に乳幼児用として好適に用いることができる。
【００１６】
前胴回り部20、股下部30及び後胴回り部40とによって吸収性本体15が構成される。吸収性本体15は、液保持性の吸収体35を含む縦長の形状を有する。本実施形態では、吸収体35は、前胴回り部20、股下部30及び後胴回り部40に渡って設けられる。吸収体35は、吸収性本体15の製品長手方向DLにおける中央部における幅が狭くなるような形状を有する。なお、吸収体35の形状は、図１に示したような形状に限定されず、単純な長方形であってもよい。また、吸収体35は、少なくとも股下部30に設けられていればよい。
【００１７】
吸収性本体15は、従来のオープンタイプの使い捨ておむつと同様であり、公知の部材や材料を用いて適宜構成することができる。また、吸収性本体15は、図示しない液透過性の表面シート、製品長手方向DLに沿って吸収性本体15の側縁部に設けられる立体ギャザー、及び製品幅方向DWに沿って後胴回り部40に設けられるウエストギャザーなどを有していてもよい。
【００１８】
吸収性本体15の製品幅方向DWにおける側縁部には、サイドフラップ50が設けられる。サイドフラップ50は、１枚または２枚以上の複数枚重ねた不織布によって構成されている。
【００１９】
本実施形態では、サイドフラップ50は、吸収性本体15の製品長手方向DLの全域に渡って設けられる。つまり、サイドフラップ50は、前胴回り部20から後胴回り部40まで設けられる。股下部30と対応するサイドフラップ50の幅は、前胴回り部20及び後胴回り部40と対応するサイドフラップ50の幅よりも狭い。なお、サイドフラップ50は、必ずしも吸収性本体15の製品長手方向DLの全域に渡って設けられていなくてもよく、例えば、後胴回り部40と対応する領域のみに設けられていてもよい。
【００２０】
また、吸収性本体15の製品幅方向DWにおける側縁部、具体的にはサイドフラップ50には、吸収性本体15の製品長手方向DLに沿って伸縮可能なレッグ弾性部材55が設けられる。レッグ弾性部材55によって、吸収性本体15が製品長手方向DLにおいて収縮させられている。このように収縮された吸収性本体15は、製品長手方向DLに伸長することができる。
【００２１】
サイドフラップ50には、ファスニングテープ100が取り付けられる。具体的には、ファスニングテープ100は、後胴回り部40から吸収性本体15の製品幅方向DW外側に延出する。ファスニングテープ100は、前胴回り部20に止着されるように構成される。ファスニングテープ100のフックシート110（図１において不図示、図２参照）は、前胴回り部20のバックシート70（図１において不図示、図３参照）側に設けられたターゲットテープ60に係合する。
【００２２】
なお、ファスニングテープ100は、後胴回り部40ではなく、前胴回り部20から吸収性本体15の製品幅方向DW外側に延出するようにサイドフラップ50に取り付けられてもよいが、仰向けに寝かせた状態で使い捨ておむつを交換する状況が多い乳幼児の場合、ファスニングテープ100は、後胴回り部40に取り付けられていることが好ましい。
【００２３】
（２）ファスニングテープの形状
次に、図２〜図４を参照して、ファスニングテープ100の形状について説明する。図２は、使い捨ておむつ10のファスニングテープ100部分（サイドフラップ50側）の拡大図である。図３は、図２のF3-F3線に沿ったファスニングテープ100の断面図である。図４は、図３に示したファスニングテープ100の断面形状の模式図である。
【００２４】
図２〜図４に示すように、ファスニングテープ100は、後胴回り部40（図１参照）に対応するサイドフラップ50の領域に取り付けられている。ファスニングテープ100は、複数の係合フック111が設けられたフックシート110と、不織布によって形成され基材シート105とを有する。フックシート110は、基材シート105に固定される。
【００２５】
フックシート110は、基材シート105に固定、具体的には接合されている。フックシート110と基材シート105との接合は、ファスニングテープ100の剛性が必要以上に高くなることがないようされていることが好ましい。具体的には、フックシート110と基材シート105とは、点状、線状或いはスパイラル状のような間欠的に塗布されたホットメルト接着剤によって接合されていることが好ましい。なお、フックシート110と基材シート105とは、熱シールなどで接合されてもよい。
【００２６】
また、フックシート110の剛性を低下させるためには、フックシート110の基材部分の厚みを薄くしたり、当該基材部分の空隙を増やしたりするなど、公知の各種方法を用いることができる。
【００２７】
基材シート105は、１枚または２枚以上の複数枚重ねた不織布によって構成されている。基材シート105としては、スパンボンド（SB）またはスパンボンド−メルトブローン−スパンボンド（SMS）などの製法によって製造された不織布を用いることができる。基材シート105を構成する不織布の目付け（複数枚の場合は合計目付け）は、30〜120g/m2であり、好ましくは40〜90g/m2である。当該目付けが30g/m2未満の場合、使い捨ておむつ10を保持する強度を維持することが困難であり、ファスニングテープ100の使用時に、フックシート110が存在しない領域において破断する頻度が高くなる。一方、当該目付けが120g/m2を超える場合、ファスニングテープ100の曲げ剛性が高くなり過ぎる。
【００２８】
本実施形態では、基材シート105には、SB不織布80g/m2の素材を用いた。また、フックシート110は、SB不織布100g/m2の素材を用いた。
【００２９】
また、ファスニングテープ100は、フックシート110の製品幅方向DW外側においてフックシート110に隣接する嵩上げ部130を備える。さらに、本実施形態では、ファスニングテープ100は、フックシート110の製品幅方向DW内側においてフックシート110に隣接する嵩上げ部120を備える。すなわち、本実施形態では、嵩上げ部120, 130は、フックシート110の製品幅方向DW外側及び製品幅方向DW内側にそれぞれ備えられる。
【００３０】
フックシート110と、嵩上げ部120及び嵩上げ部130は、基材シート105の肌当接側の平面に設けられる。嵩上げ部120及び嵩上げ部130は、フックシート110と同一平面となるような厚みを有する。
【００３１】
具体的には、嵩上げ部120及び嵩上げ部130は、フックシート110と略同一の厚みを有する。より具体的には、嵩上げ部120及び嵩上げ部130が存在する領域におけるファスニングテープ100と、フックシート110が存在する領域におけるファスニングテープ100との段差は、-0.28〜0.46mm以下である。
【００３２】
これにより、ファスニングテープ100の先端部（自由端）における段差が解消され、ファスニングテープ100に触れた際に、フックシート110の違和感を感じ難い。
【００３３】
なお、段差とは、係合フック111が形成されているフックシート110の表面の位置、と嵩上げ部130の表面の位置との距離（図中のd）である。フックシート110の表面を基準として、プラス（表記なし）は嵩上げ部（嵩上げ部120, 130）が厚いことを意味し、マイナスは嵩上げ部が薄いことを意味する。
【００３４】
また、厚みの差とは、フックシート110が存在する領域における基材シート105を含むファスニングテープ100の厚みと、嵩上げ部130（嵩上げ部120）が存在する領域における基材シート105を含むファスニングテープ100の厚みとの差である。つまり、本実施形態のように、嵩上げ部が後述するようなフックシートカバー部を有さない場合、段差は厚みの差と等しい。
【００３５】
段差及び厚みの差は、株式会社尾崎製作所製PEACOCK ダイヤルシックネスゲージを用いて測定した。測定では、直径10ｍｍの円状の測定端子を用いて、4.5gf/cm2の荷重がファスニングテープ100（嵩上げ部130）に掛かるように調整した。この状態において、測定対象部位の製品長手方向DLにおける中心に測定端子の中心が位置するようにして、段差及び厚みの差を測定した。
【００３６】
本実施形態では、基材シート105及び嵩上げ部130の製品長手方向DLにおける幅は、フックシート110の幅と略同一である。なお、フックシート110の製品長手方向DLのおける幅が基材シート105の製品長手方向DLにおける幅よりも狭い場合、嵩上げ部130の幅は、フックシート110の幅よりも広くても構わない。この場合、嵩上げ部130の幅は、基材シート105の製品長手方向DLにおける幅以下であることが好ましい。
【００３７】
また、本実施形態では、フックシート110が設けられている領域におけるファスニングテープ100の製品幅方向DWにおけるKES曲げ剛性値は、1.64gf・cm2/cm以下であることが好ましい。このようなKES曲げ剛性値を超えると、ファスニングテープ100に触れた際の刺激や違和感が増大するため好ましくない。
【００３８】
KES曲げ剛性値は、カトーテック株式会社製のKES曲げ測定機を用いて測定した。具体的には、B値（曲げ剛性）を測定した。なお、KES曲げ測定機を用いる場合、製品幅方向DW及び製品長手方向DLに沿ってそれぞれ測定を行い、両方向においてその値以下とすることが好ましい。
【００３９】
フックシート110の曲げ剛性を低下させる手段としては、フックシート110が接合される基材シート105の厚みを薄くしたり、フックシート110の厚みを薄くしたりすることで実現できる。
【００４０】
（３）変更例
次に、図５〜図７を参照して、ファスニングテープの変更例について説明する。以下、上述したファスニングテープ100と異なる部分について主に説明する。
【００４１】
（３．１）変更例１
図５（ａ）及び（ｂ）は、本変更例に係るファスニングテープ100Aの拡大図及びファスニングテープ100Aの断面形状の模式図をそれぞれ示す。
【００４２】
図５（ａ）及び（ｂ）に示すように、ファスニングテープ100Aは、嵩上げ部120A及び嵩上げ部130Aを備える。嵩上げ部120A及び嵩上げ部130Aは、フックシートカバー部141及びフックシートカバー部142をそれぞれ有する。
【００４３】
フックシートカバー部141は、嵩上げ部120Aからフックシート110側に延出し、フックシート110の製品幅方向DWにおける一端部を覆う。同様に、フックシートカバー部142は、嵩上げ部130Aからフックシート110側に延出し、フックシート110の製品幅方向DWにおける他端部を覆う。
【００４４】
フックシートカバー部141及びフックシートカバー部142の厚みは、嵩上げ部120A及び嵩上げ部130Aの厚みよりも薄いことが好ましい。フックシートカバー部141及びフックシートカバー部142は、例えば、SB不織布27g/m2を用いて構成できる。フックシートカバー部141及びフックシートカバー部142には、係合フック111に食い込むような状態となり、フックシートカバー部141及びフックシートカバー部142が存在する領域における厚みと、嵩上げ部120A及び嵩上げ部130Aが存在する領域における厚みとは、概ね同一となる。
【００４５】
また、ファスニングテープ100Aの場合、基材シート105と嵩上げ部120Aまたは嵩上げ部130Aとが存在する領域におけるファスニングテープ100Aと、フックシート110のみが存在する領域におけるファスニングテープ100Aとの段差は、図４に示したファスニングテープ100の当該部分における段差よりも大きくても構わない。フックシート110に比べ柔らかな不織布から構成される嵩上げ部がフックシート110の製品幅方向DWの端を覆い違和感を感じ難いためである。
【００４６】
なお、本変更例の場合、段差とは、フックシート110の表面の位置と、フックシートカバー部142（フックシートカバー部141）の表面位置との距離（図中のd’）である。また、基材シート105及び嵩上げ部130の厚みと、フックシート110の厚みとの差は、後述する実施例に示すように1．08mm以下であることが好ましい。当該厚み差が1．08mmを超えると、ファスニングテープ100Aの使い捨ておむつの係合を阻害する可能性が高くなるため好ましくない。
【００４７】
（３．２）変更例２
図６（ａ）及び（ｂ）は、本変更例に係るファスニングテープ100Bの拡大図及びファスニングテープ100Bの断面形状の模式図をそれぞれ示す。
【００４８】
図６（ａ）及び（ｂ）に示すように、ファスニングテープ100Bは、ファスニングテープ100Aと同様に、嵩上げ部120B及び嵩上げ部130Bは、フックシートカバー部141A及びフックシートカバー部142Aをそれぞれ有する。ファスニングテープ100Bでは、フックシートカバー部141A及びフックシートカバー部142Aで覆われるフックシート110Bの領域には、係合フック111が設けられてない。
【００４９】
このような構成により、基材シート105と嵩上げ部120Bまたは嵩上げ部130Bが存在する領域におけるファスニングテープ100と、フックシート110Bが存在する領域におけるファスニングテープ100との段差を、ファスニングテープ100Aと比較して小さくすることができる。
【００５０】
（３．３）その他の変更例
図７（ａ）〜（ｄ）は、ファスニングテープのその他の変更例を示す。図７（ａ）に示すファスニングテープ100Cは、嵩上げ部120C及び嵩上げ部130Cと別体のフックシートカバー141C及びフックシートカバー142Cが備えられる。嵩上げ部120C及び嵩上げ部130Cとしては、緩衝材としての効果も期待できるエアスルー不織布（AT）35g/m2を用いた。また、フックシートカバー141C及びフックシートカバー142Cとしては、厚みを抑えるため、SMS不織布15g/m2を用いた。
【００５１】
図７（ｂ）に示すファスニングテープ100Dは、基材シート105Aと嵩上げ部130Dとが一体として形成されている。
【００５２】
図７（ｃ）に示すファスニングテープ100Eは、ファスニングテープ100Dと類似した構成であるが、基材シート105の非肌当接側の平面まで嵩上げ部130Eが回り込んでいる。
【００５３】
図７（ｄ）に示すファスニングテープ100Fは、ファスニングテープ100Dも類似した構成であるが、基材シート105Fと嵩上げ部130Fとが同一の素材（例えば、SB不織布30g/m2を２枚重ねたもの）を用いて構成され、基材シート105Fと嵩上げ部130Fとが接合される。
【００５４】
（４）作用・効果
表１は、ファスニングテープの比較評価結果を示す。表１に示すように、実施例１〜実施例５、及び比較例１〜３に係るファスニングテープについて試験を実施した。
【００５５】
【表１】
2013158370.tif 000003
【００５６】
表１に示すように、実施例１〜６、及び比較例１〜４に係るファスニングテープについて比較評価を行った。比較評価の試験では、市販のユニ・チャーム株式会社製の使い捨ておむつ「ムーニー ねんね仕立て Ｓサイズ」を用い、実施例１〜６に係るファスニングテープ及び比較例１〜４に係るファスニングテープを順次使い捨ておむつに付け替えることによって、評価試験用のサンプルを準備した。
【００５７】
評価試験では、ファスニングテープを「おむつ本体と異なる硬さの異なる物（異物）と感じている」人を対象とするため、試験対象者のスクリーニングを予め行い、普段使用している使い捨ておむつのファスニングテープに上述のような印象を抱いている者を対象とした。具体的には、２ヶ月〜６ヶ月の乳幼児を育てている母親を対象として、ファスニングテープを「おむつ本体と異なる物（異物）と感じているか？」との質問に対する回答が肯定である３０名の母親を選択し、この母親を対象として、「ファスニングテープ部に異物感・違和感を感じましたか？」と質問をした。
【００５８】
当該質問に対して、以下の（１）または（２）である人数の比率が６０％を超えるサンプルを官能評価（触感）が良好であり、OKと評価した。
【００５９】
（１）異物感・違和感を全く感じない
（２）異物感・違和感をほとんど感じない
（３）どちらとも言えない
（４）異物感・違和感をやや感じる
（５）異物感・違和感をはっきり感じる
このような評価試験の結果によれば、段差は−0.28〜0.46mmの範囲であることが好ましい。また、厚み差は−0.28mm〜1．08mmの範囲であることが好ましい。なお、厚み差は、先端部（表１の模式図に示した「A」の部分）及び止着部（表１の模式図に示した「B」の部分）において測定した。
【００６０】
すなわち、上述した使い捨ておむつ10に備えられるファスニングテープ100, 100A〜100Fによれば、フックシートに隣接する嵩上げ部を備えられ、嵩上げ部は、フックシートと同一平面となるような厚さを有する。つまり、嵩上げ部の表面と、フックシートの表面とは、ほぼ面一となるため、ファスニングテープに触ってもフックシートに設けられた係合フック111による刺激や違和感を感じ難い。つまり、嵩上げ部が、フックシートと同一平面となるような厚さとは、必ずしも上述した段差の範囲に限定されるものではなく、多数のユーザーがファスニングテープ部に異物感・違和感を感じないような段差であれば構わない。
【００６１】
ファスニングテープのフックシート側の表面を、使い捨ておむつの本体側から先端部に向けて指を滑らすよう触る場合、上述した「段差」を所定範囲内とすることが有効である。また、ファスニングテープを厚み方向に挟み込むようにして嵩上げ部及びフックシートとを掴むように触る場合、上述した「厚みの差」を所定範囲内とすることが有効である。特に、フックシート側の表面を、使い捨ておむつの本体側から先端部に向けて指を滑らすような触り方は、乳幼児の身体を過度に押さえつけないようにしつつ、ファスニングテープを使い捨ておむつに係合させたいという母親が、ファスニングテープを使い捨ておむつのターゲットテープ60の所望の位置に合わせた後、ファスニングテープをターゲットテープ60に係合させる場合において顕著である。
【００６２】
また、本実施形態では、嵩上げ部は、フックシートの製品幅方向DW外側及び内側の両方に備えられるため、ファスニングテープを摘む際に、フックシートと、フックシートよりも製品幅方向DW内側の部分とに触れた場合でも、係合フック111による刺激や違和感を感じ難い。
【００６３】
さらに、フックシートの製品幅方向DWにおける端部を覆うフックシートカバー部が備えられている場合には、フックシートの当該端部に触れた場合でも、フックシートと嵩上げ部との段差を感じ難く、係合フック111による刺激や違和感をさらに感じ難い。また、フックシートの製品幅方向DWにおける端部がフックシートカバー部によって覆われるため、当該端部のめくれを防止できる。これにより、ファスニングテープに触れた際の刺激や違和感をさらに低減し得る。
【００６４】
（５）その他の実施形態
上述したように、本発明の実施形態を通じて本発明の内容を開示したが、この開示の一部をなす論述及び図面は、本発明を限定するものであると理解すべきではない。この開示から当業者には様々な代替実施の形態、実施例及び運用技術が明らかとなる。
【００６５】
例えば、上述した実施形態では、嵩上げ部は、フックシートの製品幅方向DW外側及び内側の両方に備えられていたが、嵩上げ部は、フックシートの製品幅方向DW外側のみに備えられていてもよい。
【００６６】
このように、本発明は、ここでは記載していない様々な実施の形態などを含むことは勿論である。したがって、本発明の技術的範囲は、上述の説明から妥当な特許請求の範囲に係る発明特定事項によってのみ定められるものである。
【符号の説明】
【００６７】
10…使い捨ておむつ
15…吸収性本体
20…前胴回り部
30…股下部
35…吸収体
40…後胴回り部
50…サイドフラップ
55…レッグ弾性部材
60…ターゲットテープ
70…バックシート
100, 100A〜100F…ファスニングテープ
105, 105A, 105F…基材シート
110, 110B…フックシート
111…係合フック
120, 120A〜120C, 130, 130A〜130F…嵩上げ部
141, 141A, 142, 142A…フックシートカバー部
141C, 142C…フックシートカバー
【図１】
2013158370.tif 000004
【図２】
2013158370.tif 000005
【図３】
2013158370.tif 000006
【図４】
2013158370.tif 000007
【図５】
2013158370.tif 000008
【図６】
2013158370.tif 000009
【図７】
2013158370.tif 000010